(57)【特許請求の範囲】
【請求項１】
上階と下階とを備え、下階床の一部の上に中間床が設けられ、この中間床の上方が中間部屋とされた建物において、
前記下階に設けられる部屋は、この下階の部屋の天井の一部が高く形成されることによって高天井部を有しており、前記中間部屋は、前記高天井部に隣接して配置されるとともに、前記高天井部の天井と同一高さの天井を備えており、
前記上階には、前記下階の部屋の前記天井の直上に位置し、かつ前記高天井部に隣接して配置される部屋が設けられており、
前記高天井部は、前記中間部屋に面して設けられ、通風および採光機能を有する第１通気部と、この第１通気部に対向して設けられ、通風および採光機能を有する第２通気部とを備えており、
前記高天井部および前記中間部屋の上方には、これら高天井部の天井および中間部屋の天井と略同じ高さ位置に設定された床が設けられ、この床の上方は部屋とされており、
前記第１通気部は、前記高天井部と前記中間部屋との間に配置されており、
前記第２通気部は、前記高天井部と前記上階の部屋との間に配置されていることを特徴とする建物。
【請求項２】
請求項１に記載の建物において、
前記中間部屋には、前記第１通気部に対向する外壁に窓が設けられていることを特徴とする建物。
【請求項３】
請求項１または２に記載の建物において、
前記上階の部屋には、前記第２通気部に対向する外壁に窓が設けられていることを特徴とする建物。
【請求項４】
請求項１〜３のいずれか一項に記載の建物において、
前記中間床と下階床との間に、前記下階の部屋に隣接する低天井室が設けられており、この低天井室には、前記下階の部屋との間に、この下階の部屋に面する出入口が設けられるとともに、この出入口に対向する外壁に窓が設けられていることを特徴とする建物。
【発明の詳細な説明】
【技術分野】
【０００１】
本発明は、上階と下階とを備え、下階床の一部の上に中間床が設けられ、この中間床の上方が中間部屋とされた建物に関する。
【背景技術】
【０００２】
近年、空調機器の発達に伴い、空調機器を利用して冷暖房を行うようになっている。そのため、住宅等の建物においては、空調効果を高めるために、屋内外の空気の出入りを遮断し、室内の熱が屋外に漏れないようにし、建物の内部の空調におけるエネルギー損失を少なくするために、室内の気密性および断熱性を高くした高気密・高断熱建物が利用されている。
そして、このような高気密・高断熱建物は、屋内外の空気の出入りを遮断しているために換気を十分に行う必要があった。そこで、高気密・高断熱建物の換気を行うために、建物内の部屋等、仕切られた複数の空間をまとめて換気するセントラル換気装置が利用されている（例えば、特許文献１参照）。
【特許文献１】特開平１１−３４４２５３号公報
【発明の開示】
【発明が解決しようとする課題】
【０００３】
ところが、このような換気装置を用いると換気装置の設置にコストがかかる上、多くのエネルギーを消費するという問題があったため、上記のような換気装置を用いずに各部屋の窓やドアを開けて建物内に外気を導入し、建物内部の空気と入れ換える等して自然換気を行うようにしている。
しかしながら、特に、夏場においては各部屋の窓やドアを開けたとしても暖かい空気が流入して溜まってしまい、部屋全体が暖まる場合が多いため、夏場であっても快適な居住環境を形成できるような技術の開発が強く望まれていた。
【０００４】
本発明の課題は、自然換気を容易かつ確実に行うことができ、夏場においても快適な居住環境を形成することが可能な建物を提供することを目的とする。
【課題を解決するための手段】
【０００５】
請求項１に記載の発明は、例えば図１〜図３に示すように、上階２と下階１とを備え、下階床１ａの一部の上に中間床１ｂが設けられ、この中間床１ｂの上方が中間部屋１５とされた建物Ａにおいて、
前記下階１に設けられる部屋１０は、この下階１の部屋１０の天井１０ａの一部１１ａが高く形成されることによって高天井部１１を有しており、前記中間部屋１５は、前記高天井部１１に隣接して配置されるとともに、前記高天井部１１の天井１１ａと同一高さの天井１５ａを備えており、
前記上階２には、前記下階１の部屋１０の前記天井１０ａの直上に位置し、かつ前記高天井部１１に隣接して配置される部屋２０が設けられており、
前記高天井部１１は、前記中間部屋１５に面して設けられ、通風および採光機能を有する第１通気部１１ｂと、この第１通気部１１ｂに対向して設けられ、通風および採光機能を有する第２通気部１１ｃとを備えており、
前記高天井部１１および前記中間部屋１５の上方には、これら高天井部１１の天井１１ａおよび中間部屋１５の天井１５ａと略同じ高さ位置に設定された床２ｂが設けられ、この床２ｂの上方は部屋２４とされており、
前記第１通気部１１ｂは、前記高天井部１１と前記中間部屋１５との間に配置されており、
前記第２通気部１１ｃは、前記高天井部１１と前記上階２の部屋２０との間に配置されていることを特徴とする。
【０００６】
請求項１に記載の発明によれば、暖かい空気がより高い所へと上昇していく性質を利用することで前記下階１の部屋１０内の暖かい空気を前記高天井部１１へと上昇させて溜めることができるようになっている。そして、この高天井部１１は、前記中間部屋１５に面して設けられる第１通気部１１ｂと、この第１通気部１１ｂに対向して設けられる第２通気部１１ｃとを備えていることから、これら第１通気部１１ｂおよび第２通気部１１ｃが対向する方向に沿って通風させることで、前記高天井部１１に溜まる暖かい空気を前記第１通気部１１ｂおよび第２通気部１１ｃを通じて排出したり、前記中間部屋１５の換気を行うことができるので、自然換気を容易かつ確実に行うことができ、夏場においても快適な居住環境を形成することが可能となる。
また、前記第１通気部１１ｂおよび第２通気部１１ｃが対向する方向に沿って通風させることで、前記上階２の部屋２０の換気を行うことができるので、自然換気をさらに容易かつ確実に行うことができ、夏場においてもさらに快適な居住環境を形成することが可能となる。
【０００７】
また、前記第１通気部１１ｂおよび第２通気部１１ｃは、通風だけでなく採光機能を有していることから、これら第１通気部１１ｂおよび第２通気部１１ｃが対向する方向に沿って陽光が差し込むこととなるので、前記高天井部１１の下方や中間部屋１５の採光性を向上させることができる。
【０００８】
請求項２に記載の発明は、例えば図１および図３に示すように、請求項１に記載の建物Ａにおいて、
前記中間部屋１５には、前記第１通気部１１ｂに対向する外壁１５ｂに窓１５ｃが設けられていることを特徴とする。
【０００９】
請求項２に記載の発明によれば、前記中間部屋１５には、前記第１通気部１１ｂに対向する外壁１５ｂに窓１５ｃが設けられているので、これら第１通気部１１ｂおよび窓１５ｃを通じて、前記中間部屋１５内の空気を、前記第１通気部１１ｂおよび窓１５ｃが対向する方向に沿って排出することができる。したがって、前記高天井部１１に溜まる暖かい空気を、前記第１通気部１１ｂから前記中間部屋１５へと流入させ、さらに窓１５ｃから外部へと排出したり、前記窓１５ｃから第１通気部１１ｂに向かって外部の空気を吹き込ませて、前記高天井部１１の暖かい空気を前記第２通気部１１ｃの方向に排出させたりすることができるので、自然換気をより容易かつ確実に行うことができ、夏場においてもより快適な居住環境を形成することが可能となる。
【００１２】
請求項３に記載の発明は、例えば図１および図３に示すように、請求項１または２に記載の建物Ａにおいて、
前記上階２の部屋２０には、前記第２通気部１１ｃに対向する外壁２０ａに窓２０ｂが設けられていることを特徴とする。
【００１３】
請求項３に記載の発明によれば、前記上階２の部屋２０には、前記第２通気部１１ｃに対向する外壁２０ａに窓２０ｂが設けられているので、これら第２通気部１１ｃおよび窓２０ｂを通じて、前記上階２の部屋２０内の空気を、前記第２通気部１１ｃおよび窓２０ｂが対向する方向に沿って排出することができる。したがって、前記高天井部１１に溜まる暖かい空気を、前記第２通気部１１ｃから前記上階２の部屋２０へと流入させ、さらに窓２０ｂから外部へと排出したり、前記窓２０ｂから第２通気部１１ｃに向かって外部の空気を吹き込ませて、前記高天井部１１の暖かい空気を前記第１通気部１１ｂの方向に排出させたりすることができるので、自然換気をより一層容易かつ確実に行うことができ、夏場においてもより一層快適な居住環境を形成することが可能となる。
【００１４】
請求項４に記載の発明は、例えば図１および図２に示すように、請求項１〜３のいずれか一項に記載の建物Ａにおいて、
前記中間床１ｂと下階床１ａとの間に、前記下階１の部屋１０に隣接する低天井室１６が設けられており、この低天井室１６には、前記下階１の部屋１０との間に、この下階１の部屋１０に面する出入口１６ａが設けられるとともに、この出入口１６ａに対向する外壁１６ｂに窓１６ｃが設けられていることを特徴とする。
【００１５】
請求項４に記載の発明によれば、前記低天井室１６を、例えば日用品等を収納する収納スペースとして利用できる。
その上、外部からの空気が、前記窓１６ｃおよび出入口１６ａが対向する方向に沿って前記下階１の部屋１０に流入し、より低い位置から前記下階１の部屋１０へと吹き込むこととなるので、流入する外部の空気によって前記下階１の部屋１０の低い位置にある暖かい空気を押し上げて上昇させることができる。したがって、前記下階１の部屋１０内の暖かい空気を前記高天井部１１に溜めやすくなり、効率良く換気を行うことができるので、自然換気を格段に容易かつ確実に行うことができ、夏場においても格段に快適な居住環境を形成することが可能となる。
【発明の効果】
【００１６】
本発明によれば、暖かい空気がより高い所へと上昇していく性質を利用することで下階の部屋内の暖かい空気を高天井部へと上昇させて溜めることができるようになっている。そして、この高天井部は、中間部屋に面して設けられる第１通気部と、この第１通気部に対向して設けられる第２通気部とを備えていることから、これら第１通気部および第２通気部が対向する方向に沿って通風させることで、前記高天井部に溜まる暖かい空気を第１通気部および第２通気部を通じて排出したり、中間部屋の換気を行うことができるので、自然換気を容易かつ確実に行うことができ、夏場においても快適な居住環境を形成することが可能となる。
また、前記第１通気部および第２通気部は、通風だけでなく採光機能を有していることから、これら第１通気部および第２通気部が対向する方向に沿って陽光が差し込むこととなるので、高天井部の下方や中間部屋の採光性を向上させることができる。
【発明を実施するための最良の形態】
【００１７】
以下、図面を参照して本発明の実施の形態について説明する。
なお、本実施の形態において説明する建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００１８】
本実施の形態の建物Ａは、図１〜図３に示すように、上階２と下階１とを備え、下階床１ａの一部の上に中間床１ｂが設けられ、この中間床１ｂの上方が中間部屋１５とされたものであり、前記下階１に設けられる部屋１０は、この下階１の部屋１０の天井１０ａの一部１１ａが高く形成されることによって高天井部１１を有しており、前記中間部屋１５は、前記高天井部１１に隣接して配置されるとともに、前記高天井部１１の天井１１ａと同一高さの天井１５ａを備えており、前記高天井部１１は、前記中間部屋１５に面して設けられ、通風および採光機能を有する第１通気部１１ｂと、この第１通気部１１ｂに対向して設けられ、通風および採光機能を有する第２通気部１１ｃとを備えている。
【００１９】
なお、本実施の形態の建物Ａは、上述したように上階２と下階１とを備えており、各階１，２に複数の部屋が設けられた２階建ての建物となっている。また、図１および図３に示すように、前記下階床１ａの一部の上に設けられた中間床１ｂの上方が中間部屋１５とされており、図１および図４に示すように、上階床２ａの一部の上に設けられる中間床２ｂの上方が中間部屋２３，２４とされている。
また、前記中間床１ｂと下階床１ａとの間には、図１および図２に示すように、前記下階１の部屋１０に隣接する低天井室１６が配置されている。
【００２０】
さらに、この建物Ａの上下階１，２を連通する階段室３０が、前記下階床１ａ、中間床１ｂ、上階床２ａおよび中間床２ｂに面して設けられている。この階段室３０は、図２〜図５に示すように、複数の階段３１，３２，３２と、複数の踊り場３１ａ，３２ａ，３３ａとを備えている。
【００２１】
ここで、前記下階１に設けられる部屋１０は、図２に示すように、リビング・ダイニング・キッチンからなる共用居住空間であり、この下階１の部屋１０および前記階段室３０に隣接して、風呂・洗面室・トイレ等の水廻り室１２が配置されている。
【００２２】
さらに、この下階１の部屋１０は、上述したように、この下階１の部屋１０の天井１０ａの一部が高く形成されることによって高天井部１１を有している。この高天井部１１は、図１〜図３に示すように、前記下階１の部屋１０と前記中間部屋１５および低天井室１６との間の境界付近に設けられている。
【００２３】
そして、この高天井部１１は、上述したように、前記第１通気部１１ｂおよび第２通気部１１ｃを備えている。
これら第１通気部１１ｂおよび第２通気部１１ｃは、それぞれ通風および採光機能を有しており、例えば、ガラス等の透光性を有する材料を主体として形成され、開閉可能に構成された引違い窓の形態や、複数の水平羽板を備えるルーバー状の部材が取り付けられるような形態が採用されている。この他にも、種々の形態が挙げられるが、本発明の趣旨を逸脱しない範囲で適宜変更可能である。
【００２４】
一方、この下階１の部屋１０に隣接して玄関室１３が配置されている。この玄関室１３は、玄関床１３ｅから一段上がった玄関ホール１３ａを挟んで、前記低天井室１６に隣接する収納部１３ｂを備えており、この収納部１３ｂには、前記低天井室１６との間に、この低天井室１６に面する出入口１３ｃが設けられている。
また、この収納部１３ｂの床は、前記玄関床１３ｅと同じ床面高さの土間床１３ｄとなっており、前記低天井室１６の床面と同じ床面高さとなっている。つまり、前記低天井室１６の床は、前記収納部１３ｂの土間床１３ｄと連続する土間床１６ｄとなっている。また、これら土間床１３ｄ，１６ｄは、前記下階床１ａよりも一段下がった床面高さに設定されている。
【００２５】
そして、前記中間床１ｂと下階床１ａとの間に設けられる前記低天井室１６は、日用品等を収納する収納スペースとして利用されており、その天井高が１．４ｍに設定されているが、０．９ｍ〜１．４ｍの高さ範囲であれば、これに限られるものではない。
すなわち、このように前記低天井室１６の天井高を０．９ｍ〜１．４ｍに設定することによって、居住者が低天井室１６に入って、何とか作業ができる最低限の高さを確保でき、また、このように天井高を必要最低限に押さえることで、建物Ａの高さが高くなることによって隣接する建物に及ぼす日照現象等の影響を極力少なくすることができる。
【００２６】
また、この低天井室１６には、前記下階１の部屋１０との間に、この下階１の部屋１０に面する出入口１６ａが設けられるとともに、この出入口１６ａに対向する外壁１６ｂに窓１６ｃが設けられている。
これによって、外部からの空気が、前記窓１６ｃおよび出入口１６ａが対向する方向に沿って前記下階１の部屋１０に流入し、より低い位置から前記下階１の部屋１０へと吹き込むこととなるので、流入する外部の空気によって前記下階１の部屋１０の低い位置にある暖かい空気を押し上げて上昇させることができるようになっている。
【００２７】
続いて、図３および図５に示すように、前記階段３１を上って下階床１ａから中間床１ｂまで上がる。前記階段３１を上った場所には踊り場３１ａが設けられており、この踊り場３１ａに面して前記中間部屋１５が設けられている。
【００２８】
前記中間部屋１５は、建物Ａを構成する外壁に沿って配置されるものであり、上述したように、前記高天井部１１に隣接して配置されるとともに、前記高天井部１１の天井１１ａと同一高さの天井１５ａを備えている。そして、これら中間部屋１５の天井１５ａおよび高天井部１１の天井１１ａは、図１に示すように、前記上階床２ａの一部の上に設けられる中間床２ｂと略同じ高さ位置に設定されている。
【００２９】
また、前記中間部屋１５には、前記第１通気部１１ｂに対向する外壁１５ｂに窓１５ｃが設けられており、これら第１通気部１１ｂおよび窓１５ｃを通じて、前記中間部屋１５内の空気を、前記第１通気部１１ｂおよび窓１５ｃが対向する方向に沿って排出することができるようになっている。
したがって、前記高天井部１１に溜まる暖かい空気を、前記第１通気部１１ｂから前記中間部屋１５へと流入させ、さらに窓１５ｃから外部へと排出したり、前記窓１５ｃから第１通気部１１ｂに向かって外部の空気を吹き込ませて、前記高天井部１１の暖かい空気を前記第２通気部１１ｃの方向に排出させたりすることができる。
【００３０】
続いて、図３および図５に示すように、前記階段３２を上って踊り場３１ａから上階床２ａまで上がる。前記階段３２を上った場所には踊り場３２ａが設けられており、この踊り場３２ａに面して上階２の部屋２０が設けられている。
【００３１】
そして、前記上階２の部屋２０は、図１に示すように、前記下階１の部屋１０の直上に位置し、かつ前記高天井部１１に隣接して配置されるとともに前記第２通気部１１ｃに面している。これによって、前記第１通気部１１ｂおよび第２通気部１１ｃが対向する方向に沿って通風させることで、前記上階２の部屋２０の換気を行うことができるようになっている。
【００３２】
また、この上階２の部屋２０には、図３に示すように、前記第２通気部１１ｃに対向する外壁２０ａに窓２０ｂが設けられており、これら第２通気部１１ｃおよび窓２０ｂを通じて、前記上階２の部屋２０内の空気を、前記第２通気部１１ｃおよび窓２０ｂが対向する方向に沿って排出することができるようになっている。
したがって、前記高天井部１１に溜まる暖かい空気を、前記第２通気部１１ｃから前記上階２の部屋２０へと流入させ、さらに窓２０ｂから外部へと排出したり、前記窓２０ｂから第２通気部１１ｃに向かって外部の空気を吹き込ませて、前記高天井部１１の暖かい空気を前記第１通気部１１ｂの方向に排出させたりすることができる。
【００３３】
なお、この上階２の部屋２０は、前記玄関室１３の上部の小屋部１４と隣接しており、この小屋部１４との間に出入口を形成することによって小屋部１４の内部と行き来可能となっている。そして、この小屋部１４の内部には、図３および図５に示すように、小屋裏収納部１４ａが設けられており、この小屋裏収納部１４ａは、前記低天井室１６と同じく、日用品等を収納する収納スペースとして利用されており、その天井高が０．９ｍ〜１．４ｍに設定されている。
【００３４】
一方、上階２には、前記上階２の部屋２０に隣接して部屋２１が設けられるとともに、この部屋２１および前記階段室３０に隣接する低天井室２２が設けられている。この低天井室２２は、前記上階床２ａと、この上階床２ａの一部の上に設けられる中間床２ｂとの間に設けられるものであり、前記低天井室１６と同じく、日用品等を収納する収納スペースとして利用されており、その天井高が０．９ｍ〜１．４ｍに設定されている。
なお、これら上階２の部屋２０，２１と低天井室２２とは、前記踊り場３２ａに出入口が面するように配置されている。
【００３５】
続いて、図３〜図５に示すように、前記階段３３を上って踊り場３２ａから中間床２ｂまで上がる。前記階段３３を上った場所には、図４に示すように、踊り場３３ａが設けられており、この踊り場３３ａに面して中間部屋２３，２４が設けられている。
【００３６】
そして、これら中間部屋２３，２４は、図１および図４に示すように、前記中間床２ｂよりも高い位置、すなわち、前記上階の部屋２０，２１の天井レベルに、それぞれロフト２３ａ，２４ａを備えている。なお、これらロフト２３ａ，２４ａは、前記低天井室１６と同じく、日用品等を収納する収納スペースとして利用されており、その天井高が０．９ｍ〜１．４ｍに設定されている。
また、これらロフト２３ａ，２４ａに対向する位置にはクローゼット２３ｂ，２４ｂが設けられている。
【００３７】
次に、本実施の形態の建物Ａの換気の流れについて説明する。
まず、前記下階１の部屋１０や水廻り室１２、玄関室１３で発生した暖かい空気が、下階１で最も天井高の高い高天井部１１に集まって溜まる。これは、暖かい空気がより高い所へと上昇していく性質を利用したものである。
【００３８】
この時、図１および図２に示すように、前記低天井室１６の窓１６ｃを開けることによって、低い位置から外部の空気が流入してくるので、この外部からの空気よりも暖かい空気は、より高い位置に上昇するようになっている。これによって、さらに効率良く自然換気を行うことが可能となっている。
【００３９】
なお、前記低天井室１６の床が土間床１６ｄとなっているので、前記窓１６ｃを通じて外部から空気を流入させた場合に、前記土間床１６ｄの付近の冷たい空気が一緒に建物Ａ内へと吹き込むようになる。
また、この低天井室１６の窓１６ｃに対向するようにして、前記下階１の部屋１０の外壁１０ｂに窓１０ｃを設けることによって、より換気効率を向上させることができるので好ましい。
【００４０】
続いて、図１に示すように、この下階１の部屋１０の高天井部１１に溜まった暖かい空気は前記第１通気部１１ｂおよび第２通気部１１ｃを通じて排出される。
この時、前記中間部屋１５の窓１５ｃを開けるか、前記上階２の部屋２０の窓２０ｂを開けるかによって、前記高天井部１１に溜まった暖かい空気の排出方向を選択する。また、これら窓１５ｃおよび２０ｂの双方を開けることによって、外部の空気が、前記高天井部１１を介して前記上階２の部屋２０と中間部屋１５との間を通過することになる。
【００４１】
以上のようにして、本実施の形態の建物Ａによる自然換気の流れがスムーズに行われるようになっている。
なお、本実施の形態の高天井部１１は、図１〜図３に示すように、建物Ａの略中央に配置されているので、下階１の部屋１０や上階２の部屋２０だけでなく、これら下階１の部屋１０および上階２の部屋２０の周辺に配置される各部屋内の換気も可能となり、建物Ａ内全体の換気に好適である。
【００４２】
また、本実施の形態の建物Ａは、前記第１通気部１１ｂおよび第２通気部１１ｃが、通風だけでなく採光機能を有していることから、これら第１通気部１１ｂおよび第２通気部１１ｃが対向する方向に沿って陽光が差し込むこととなるので、前記高天井部１１の下方や中間部屋１５の採光性を向上させることができるようになっている。
【００４３】
本実施の形態によれば、暖かい空気がより高い所へと上昇していく性質を利用することで前記下階１の部屋１０内の暖かい空気を前記高天井部１１へと上昇させて溜めることができるようになっている。そして、この高天井部１１は、前記中間部屋１５に面して設けられる第１通気部１１ｂと、この第１通気部１１ｂに対向して設けられる第２通気部１１ｃとを備えていることから、これら第１通気部１１ｂおよび第２通気部１１ｃが対向する方向に沿って通風させることで、前記高天井部１１に溜まる暖かい空気を前記第１通気部１１ｂおよび第２通気部１１ｃを通じて排出したり、前記中間部屋１５の換気を行うことができるので、自然換気を容易かつ確実に行うことができ、夏場においても快適な居住環境を形成することが可能となる。
【図面の簡単な説明】
【００４４】
【図１】本発明の実施の形態に係る建物を示す側断面図である。
【図２】図１に示す建物の１階および低天井室を示す平面図である。
【図３】図１に示す建物の１階の中間部屋および２階を示す平面図である。
【図４】図１に示す建物の２階の中間部屋およびロフトを示す平面図である。
【図５】図１に示す建物の収納スペースおよび階段の概要を示す斜視図である。
【符号の説明】
【００４５】
Ａ  建物
１  下階
１ａ  下階床
１ｂ  中間床
２  上階
１０  部屋
１１  高天井部
１１ｂ  第１通気部
１１ｃ  第２通気部
１５  中間部屋
【図１】
0005133615.tif 000002
【図２】
0005133615.tif 000003
【図３】
0005133615.tif 000004
【図４】
0005133615.tif 000005
【図５】
0005133615.tif 000006